(57)【特許請求の範囲】
【請求項１】
柔軟なフィルム状部材からなる袋部と、該袋部の口に装着された筒状の首部と該首部の上端外周から外側へ張り出す環状フランジ部とを備える注出口と、から構成された不定形液体容器を収容して固定するための不定形液体容器の保持治具であって、
底部と該底部の周囲に立設される側壁部とからなり上面が開口した箱体と、
該側壁部の上端から該開口の中央に向かって張り出すように該箱体に固定され、該箱体に収容される該不定形液体容器の該注出口が係合する注出口係合部と、を備え、
該注出口係合部は、
該環状フランジ部の外径より小さく該首部の直径より大きい幅の案内溝と、
該不定形液体容器を該箱体に着脱する際に該開口を遮らない液体容器着脱位置に移動可能な位置付け手段と、を有するとともに、
該箱体の該側壁部に上下方向に移動可能に配設され、
収容する該不定形液体容器の高さに応じて、該注出口係合部の該側壁部への固定部分に過度の過重が掛からないように設置位置が調整される、ことを特徴とする不定形液体容器の保持治具。
【請求項２】
前記保持治具は搬送を容易にする移動補助機構を備え、
該移動補助機構は、前記箱体の前記側壁部に配設された取手部及び／又は前記箱体の前記底部に配設された摩擦低減機構とからなる、
ことを特徴とする請求項１に記載の不定形液体容器の保持治具。
【発明の詳細な説明】
【技術分野】
【０００１】
本発明は、液体の入った柔軟なフィルム状の不定形液体容器を固定するための治具に関する。
【背景技術】
【０００２】
飲料水や燃料用の灯油、工業用の薬液等の液体を保存、搬送等するために、缶やビン、硬質の樹脂製ボトル等の様々な定型型容器が使用されているが、空となった容器の容易な廃棄や、容器自体の軽量化のため、近年では柔軟なフィルム状の袋状容器が広い用途で使用され始めている（例えば、特許文献１）。
【０００３】
こうした容器は、使用後折りたたんで収納可能であり、容器自体の重さが非常に軽いため、輸送コストの大幅削減等の大きな効果が発揮されている。また、こうした柔軟なフィルム状の袋状容器の中に保存された液体、例えば飲料水や工業用の薬液等を外部に送出する液体供給装置も発売されている（例えば、特許文献２）。
【先行技術文献】
【特許文献】
【０００４】
【特許文献１】特開２００７−２０４１２０号公報
【特許文献２】特開２０１１−１８４０４８号公報
【発明の概要】
【発明が解決しようとする課題】
【０００５】
しかし、不定形な液体容器を用いた液体供給装置の場合、容器自体の形状が不定形であるという特徴から、定型容器とは違った工夫が必要となる。例えば、容器の固定方法の工夫、容器の搬送方法の工夫等である。
【０００６】
そして、容器自体の形状が不定形であるため、容器の固定については、何らかの枠体内に載置して液体供給装置内部の所定の設置場所に設置するか、又は箱体に予め収容したうえで箱体ごと液体供給装置内部の所定の設置場所に設置する必要が生じる。
【０００７】
しかしながら、内容物が液体であるためその重量は重い場合が多く、例えば液体供給装置内が狭い空間である場合などでは、重量のある柔軟な容器を液体供給装置内の所定の設置場所に直接設置することは難しい。
【０００８】
他方、予め箱体に容器を収容したうえで、その箱体ごと所定の設置場所に設置する形態を採用する場合でも、箱体の重量を含む全体としての重量について、作業者の負担を軽減させる手段が必要である。
【０００９】
さらに、容器は容量等によってサイズ（外形寸法）が異なる場合がるため、箱体については、種々のサイズの容器や、種々のサイズの容器に設けられる注出口に対応可能であることが求められる。
【００１０】
本発明はこのような点に鑑みてなされたものであり、その目的とするところは、容易に不定形液体容器の出し入れが可能など、工夫の凝らされた保持治具を提供することである。
【課題を解決するための手段】
【００１１】
本発明では、柔軟なフィルム状部材からなる袋部と、袋部の口に装着された筒状の首部と首部の上端外周から外側へ張り出す環状フランジ部とを備える注出口と、から構成された不定形液体容器を収容して固定するための不定形液体容器の保持治具であって、底部と底部の周囲に立設される側壁部とからなり上面が開口した箱体と、側壁部の上端から開口の中央に向かって張り出すように箱体に固定され、箱体に収容される不定形液体容器の注出口が係合する注出口係合部と、を備え、注出口係合部は、環状フランジ部の外径より小さく首部の直径より大きい幅の案内溝と、不定形液体容器を箱体に着脱する際に開口を遮らない液体容器着脱位置に移動可能な位置付け手段と、を有するとともに、箱体の側壁部に上下方向に移動可能に配設され、収容する不定形液体容器の高さに応じて、注出口係合部の側壁部への固定部分に過度の過重が掛からないように設置位置が調整される、ことを特徴とする不定形液体容器の保持治具が提供される。
【００１２】
好ましくは、保持治具は搬送を容易にする移動補助機構を備え、移動補助機構は、箱体の側壁部に配設された取手部及び／又は箱体の底部に配設された摩擦低減機構とからなることとする。
【発明の効果】
【００１４】
本願発明の不定形液体容器の保持治具を用いれば、保持治具内に不定形液体容器を出し入れする際には、注出口係合部は保持治具の開口を妨げない位置に移動させることができるため、容易に不定形液体容器の出し入れが可能となる。
【００１５】
ポンプを備えたパイプ等を注出口に挿入し、液体を外部へ排出するに際しても、保持治具の開口中央に張り出すように位置付けた注出口係合部に注出口を引っかけることで注出口が固定されるため、不定形液体容器でも安定して液体を排出できる。
【００１６】
また、取手部及び／又は移動補助機構が設けられているため、所定の設置場所への不定形液体容器の搬送（設置）の作業は、保持治具の箱体内に不定形液体容器を収容したまま可能であり、重量のある不定形液体容器の搬送が取手部及び／又は移動補助機構によって容易に行える。
【００１７】
さらに、注出口係合部の高さを上下方向に移動可能に配設することにより、不定形液体容器のサイズが異なっても、注出口係合部に液体重量を含む不定形液体容器の全重量が掛かるようにぶら下がることがないため、注出口係合部に重量が掛かり注出口係合部が破損する、といった不具合が回避できる。
【図面の簡単な説明】
【００１８】
【図１】本発明の保持治具の使用形態について示す斜視図である。
【図２】本発明の保持治具が使用される例である混合液供給装置の全体構成図である。
【図３】不定形液体容器の一例を示す斜視図である。
【図４】本発明の保持治具の構成について示す斜視図である。
【図５】液体供給装置内に不定形液体容器を装着した状態の斜視図である。
【図６】図６（Ａ）は、注出口係合部を高い位置に設定した場合について示す図である。図６（Ｂ）は、注出口係合部を低い位置に設定した場合について示す図である。
【発明を実施するための形態】
【００１９】
以下、本発明の実施形態を図面を参照して詳細に説明する。図１では、本発明の不定形液体容器の保持治具６の実施態様が示されており、保持治具６の箱体７に不定形液体容器８を収容した使用形態を示している。
【００２０】
そして、この保持治具６は、不定形液体容器８を容易に持ち運ぶことが可能であり、一般家庭や、学校、病院などの各種施設における多目的用途での使用形態が想定されるほか、図２に示されるように、工作機械（研磨装置４）に対して専用液体（研磨剤）を製造する混合液供給装置などでの使用形態も想定される。
【００２１】
図２において、符号２で示された混合液供給装置は、研磨装置４に液体と研磨剤が混合された混合液（スラリー）を供給する。後に詳細に説明する不定形液体容器の保持治具６内には、純水等の液体とシリカ等の研磨剤が混合された濃度の高い研磨剤原液９が収容された不定形液体容器８が収容されている。
【００２２】
１０は希釈タンクであり、不定形液体容器８内の濃度の高い研磨剤原液９が管路（研磨剤原液供給路）１４を介して希釈タンク１０内に供給されるとともに、液体供給源１５から液体供給路１６を介して純水等の液体が希釈タンク１０内に供給され、研磨剤原液９が液体により希釈され、希釈タンク１０は濃度が希釈されたスラリー（混合液）１８を収容する。
【００２３】
希釈タンク１０内には図示しない攪拌装置が設置されており、この攪拌装置で研磨剤原液９と液体供給路１６を介して送られた液体とを攪拌して、濃度が希釈された一様濃度のスラリー１８とする。２０は吸い上げポンプであり、管路１４には開閉弁２２が挿入されている。一方、液体供給路１６には流量調整弁２４が挿入されている。
【００２４】
希釈タンク１０からは管路（第１混合液供給路）２６を介して希釈された混合液（スラリー）１８が供給タンク１２に供給され、供給タンク１２は濃度の希釈された混合液１８を収容する。管路２６にはポンプ２８及び開閉弁３０が挿入されている。
【００２５】
供給タンク１２からは管路（第２混合液供給路）３２を介して濃度の希釈された混合液（スラリー）１８が研磨装置４に供給され、研磨装置４で半導体ウエーハ等の板状物の研磨が実施される。管路３２にはポンプ３４及び開閉弁３６が挿入されている。
【００２６】
不定形液体容器８を保持した保持治具６は重量測定器３８上に搭載されている。同様に、希釈タンク１０も重量測定器４０上に搭載されている。重量測定器３８，４０は制御手段（コントローラ）４２に接続されている。
【００２７】
制御手段４２のメモリには予め保持治具６の重量と不定形液体容器８本体の重量の和が記憶されており、制御手段４２では重量測定器３８で測定した保持治具６と研磨剤原液９を含む不定形液体容器８の総重量から保持治具６と不定形液体容器８本体の重量を減算することにより、研磨剤原液９の正確な残量を算出することができ、この研磨剤原液の残量は液晶ディスプレイ等の残量表示手段４４に表示される。
【００２８】
供給タンク１２には、複数の液面センサ４６ａ，４６ｂ，４６ｃ，４６ｄが設置されている。液面センサ４６ａ〜４６ｄは制御手段４２に接続されており、供給タンク１２内の混合液（スラリー）１８の液面が液面センサ４６ｃと４６ｄの間に来た場合に、制御手段４２で開閉弁３０を開くとともにポンプ２８を駆動して、希釈タンク１０内の混合液（スラリー）１８を供給タンク１２内に供給する。
【００２９】
ポンプ２０，２８，３４は制御手段４２に接続されており、制御手段４２によりその駆動が制御される。流量調整弁２４も制御手段４２に接続されており、流量調整弁２４で純水等の液体の供給量を調整して、研磨剤原液９を所望の濃度の混合液（スラリー）１８に調整する。
【００３０】
希釈タンク１０内の混合液（スラリー）１８の残量は、重量測定器４０上に希釈タンク１０を搭載することにより、不定形液体容器８内の研磨剤原液の残量と同様な方法により、制御手段４２で容易に算出することができる。
【００３１】
希釈タンク１０内の混合液（スラリー）１８の濃度調整は、ポンプ２０の駆動時間及び流量調整弁２４を介して供給される液体の量を制御するとともに、更に希釈タンク１０内の混合液（スラリー）１８の残量に基づいて、所望の濃度に調整することができる。
【００３２】
特に図示しないが、研磨剤原液供給路１４及び液体供給路１６中に流量計を設けて、希釈タンク１０内に供給される研磨剤原液９及び液体供給源１５から供給される純水等の液体の量を正確に測定することにより、希釈タンク１０内の混合液（スラリー）１８の濃度をより正確に調整することができる。
【００３３】
以上の説明は、本発明の不定形液体容器８の保持治具６を混合液供給装置２の研磨剤原液の供給に適用した例についての説明であるが、以下では、保持治具６の詳細な構造について説明する。
【００３４】
図３を参照すると、不定形液体容器８の一例の斜視図が示されている。不定形液体容器８は、柔軟なフィルム状部材からなる袋部４８と、袋部４８の口に装着された筒状の首部５２と首部５２の上端外周から外側へ張り出す環状フランジ部５４とを備えた注出口５０とを有している。袋部４８内には、上述した研磨剤原液のほか、飲料水、燃料用の灯油、工業用の薬液等の液体４９が収容されることができる。
【００３５】
図４を参照すると、本発明実施形態の保持治具６の斜視図が示されている。保持治具６は、不定形液体容器８（図３）を収容するための収容空間６３を構成する箱体７を有して構成される。箱体７は、板状の底部５６と、底部５６の周囲に立設される側壁部５８とからなり、上面が開口（開口６２）している。
【００３６】
箱体７の側壁部５８には、箱体７を搬送する際に用いる取手部５９，５９が設けられる。本実施形態では、箱体７の前面側と後面側に回動支点を備えた回動式の一対の取手部５９，５９を有して構成され、搬送の際には、取手部５９，５９を立ち上げることで箱体７を吊り下げるようにして搬送可能となる。
【００３７】
一方、取手部５９，５９は、箱体７を設置した際に横に倒れるように配置され、コンパクトに設置することが可能となっている。また、取手部５９，５９が横に倒れることで、箱体７の開口６２が開放され、不定形液体容器８の収容、取り出しが容易に可能となる。
【００３８】
箱体７の底部５６には、移動補助機構として機能する摩擦低減機構５５，５５が設けられる。本実施形態では、フッ素樹脂からなるシート部材を底部５６の下面に貼設することで構成され、例えば、箱体７を床面上に載置した際に、その載置床面上をスムーズに滑るように移動可能な構成としている。なお、このほかにも、テフロン（登録商標）樹脂などの摩擦係数の低い合成樹脂を貼設することや、車輪などを設けることとしてもよい。
【００３９】
以上のようにして、所定の設置場所への不定形液体容器８の搬送（設置）の作業は、保持治具６の箱体７内に不定形液体容器８を収容したまま可能であり、重量のある不定形液体容器８の搬送が移動補助機構によって容易に行えることになる。なお、取手部５９，５９と摩擦低減機構５５，５５は、いずれか一方が設けられる、或いは、両方が設けられることとしてもよい。
【００４０】
箱体７の前面側には、縦方向のスリット部６４が形成され、スリット部６４の両側が側壁部５８によって挟まれるような配置とされている。このスリット部６４によって、図５に示すように、箱体７の前面側から収容空間６３内に収容された不定形液体容器８の側面を視認でき、不定形液体容器８が透明、又は、半透明に構成される場合には、容器内の液体の残量が容易に確認できる。
【００４１】
箱体７の後面側には、箱体７の後面を構成する側壁部５８の上端から開口６２の中央に向かって張り出し箱体７に収容される不定形液体容器８の注出口５０（図３）が係合する注出口係合部６５が設けられる。注出口係合部６５は、環状フランジ部５４の外径より小さく首部５２の直径より大きい幅の平面視略Ｕ字状の案内溝６５ｂと、不定形液体容器８を箱体７に着脱する（出し入れがなされる）際に、開口６２を遮らない液体容器着脱位置に移動可能な位置付け部材（位置付け手段）６５ａを有している。
【００４２】
本実施形態の位置付け部材６５ａは板状部材にて構成され、箱体７の後面を構成する側壁部５８に対し回動可能に設けられており、位置付け部材６５ａの板面６５ｃを立ち上げるように回動させることで、位置付け部材６５ａが液体容器着脱位置に移動可能となっている。
【００４３】
これにより、保持治具６内に不定形液体容器８を出し入れする際には、位置付け部材（位置付け手段）６５ａを保持治具の開口を妨げない位置に移動させることができるため、容易に不定形液体容器８の出し入れが可能となる。
【００４４】
一方で、位置付け部材６５ａは、不定形液体容器８が箱体７に収容された際には、図５に示すように、位置付け部材６５ａの板面６５ｃが略水平になるように移動可能となっている。そして、位置付け部材６５ａの案内溝６５ｂには、不定形液体容器８の首部５２が挿入されるとともに、位置付け部材６５ａの板面６５ｃの上側に環状フランジ部５４が配置されることで、注出口５０が注出口係合部６５（位置付け部材６５ａ）に係合される。
【００４５】
さらに、図６（Ａ）（Ｂ）に示すように、注出口係合部６５の位置付け部材６５ａは、箱体７の後面を構成する側壁部５８に上下方向に移動可能に配置され、収容する不定形液体容器８の高さに応じて設置位置を調整し、注出口係合部６５の側壁部５８への固定部分７０に過度の過重が掛かることを防止する構成となっている。
【００４６】
本実施形態では、側壁部５８に、その上端部から下方に向かう開口部５８ｍが設けられ、開口部５８ｍを横方向に跨ぐように固定板７１が側壁部５８に固定される。固定板７１は、側壁部５８の上下方向の複数箇所に設けられた固定部５８ｖ，５８ｖに対し、固定具７１ｖ，７１ｖにて着脱可能となっており、上下方向の固定位置が調整可能となっている。
【００４７】
固定板７１には、連結板７２、及び、蝶板機構７３を介して位置付け部材６５ａが固定されており、これにより、位置付け部材６５ａが固定板７１に対して回動可能に構成される。そして、固定板７１の上下方向の固定位置の調整に応じて蝶板機構７３の上下位置が調整され、これに伴って、位置付け部材６５ａの上下位置も調整可能となっている。
【００４８】
例えば、不定形液体容器８のサイズが小さい場合（例えば、容量が１０リットルの容器）であって、環状フランジ部５４（図５参照）が低い位置に配置されるような場合において、注出口係合部６５（位置付け部材６５ａ）が高い位置にあると、注出口係合部６５に環状フランジ部５４が引っかかるようにして、不定形液体容器８をぶら下げた状態で保持してしまうことになる。そうすると、不定形液体容器８、及び、その中の液体の全重量を注出口係合部６５で支えることになり、注出口係合部６５の固定部分７０に過度の荷重が掛かることになってしまう。
【００４９】
そこで、このような場合には、図６（Ｂ）のように固定板７１を下側の位置に固定することによって、倒された注出口係合部６５の板面６５ｃの位置を低くすることで、注出口係合部６５の固定部分７０に過度の荷重が掛かることを防止できる。
【００５０】
逆に、不定形液体容器８のサイズが大きい場合（例えば、容量が３０リットルの容器）であって、環状フランジ部５４（図５参照）が高い位置に配置されるような場合には、不定形液体容器８の袋部４８によって、注出口係合部６５を押し上げる荷重が作用することになる。
【００５１】
このような場合には、図６（Ａ）のように固定板７１を上側の位置に固定することによって、倒された注出口係合部６５の板面６５ｃの位置を高くすることで、注出口係合部６５の固定部分７０に過度の荷重が掛かることを防止できる。
【００５２】
なお、注出口係合部６５の位置付け部材６５ａには、側面視において三角形状のストッパー６５ｄ，６５ｄ（図４）が設けられており、位置付け部材６５ａを倒して板面６５ｃが略水平となる際には、ストッパー６５ｄ，６５ｄが固定板７１に当接するようになっている。これにより、位置付け部材６５ａが倒された際には、板面６５ｃが略水平の状態となるように維持され、略水平の状態を超えて倒れ込んでしまわないようになっている。
【００５３】
そして、図１に示されるように、保持治具６に収容された不定形液体容器８の注出口５０に液体供給手段６６を取り付けることで、不定形液体容器８の内部の液体４９を送出することが可能となる。
【００５４】
液体供給手段６６は、不定形液体容器８の注出口５０から袋部４８内に挿入される送出用パイプ６８と、送出用パイプ６８の途中に介装された吸い上げポンプ２０と、送出用パイプ６８の出口部近傍に設けられるコック（栓）７０と、を有して構成することができる。
【００５５】
以上のような実施形態で構成される保持治具６を用いれば、保持治具６内に不定形液体容器８を出し入れする際には、注出口係合部６５は保持治具の開口を妨げない位置に移動させることができるため、容易に不定形液体容器８の出し入れが可能となる。
【００５６】
吸い上げポンプ２０を備えた送出用パイプ６８を注出口５０に挿入し、液体を外部へ排出するに際しても、保持治具６の開口中央に張り出すように位置付けた注出口係合部６５に注出口５０を引っかけることで注出口５０が固定されるため、不定形液体容器８でも安定して液体を排出できる。
【００５７】
また、取手部５９及び／又は移動補助機構（摩擦低減機構５５）が設けられているため、所定の設置場所への不定形液体容器８の搬送（設置）の作業は、保持治具６の箱体７内に不定形液体容器８を収容したまま可能であり、重量のある不定形液体容器８の搬送が取手部５９及び／又は移動補助機構（摩擦低減機構５５）によって容易に行える。
【００５８】
さらに、注出口係合部６５の高さを上下方向に移動可能に配設することにより、不定形液体容器８のサイズが異なっても、注出口係合部６５に液体重量を含む不定形液体容器８の全重量が掛かるようにぶら下がることがないため、注出口係合部６５に重量が掛かり注出口係合部６５が破損する、といった不具合が回避できる。
【符号の説明】
【００５９】
６    保持治具
７    箱体
８    不定形液体容器
４８    袋部
４９    液体
５０    注出口
５２    首部
５４    環状フランジ部
５５    摩擦低減機構
５６    底部
５８    側壁部
５８ｍ    開口部
５９    取手部
６２    開口
６３    収容空間
６４    スリット部
６５    注出口係合部
６６    液体供給手段
６８    送出用パイプ
７０    固定部分
【図１】
0005912498.tif 000002
【図２】
0005912498.tif 000003
【図３】
0005912498.tif 000004
【図４】
0005912498.tif 000005
【図５】
0005912498.tif 000006
【図６】
0005912498.tif 000007